(57)【特許請求の範囲】
【請求項１】
網状の流下物捕捉構造を構成する張力材の端部を渓谷や渓床に固定支持した支持アンカーに連結する流下物捕捉工の連結構造であって、
弾性体中にその弾性体の全長より長い応力材を弛ませた状態で埋設させて一体にした弾性材を介して張力材を支持アンカーに連結し、
弾性材もしくは支持アンカーの一方の端部にリングを設け、そのリングを嵌める支持アンカーもしくは弾性材の一方の端部に取り付ける接続部材の支持部に係止孔を設け、この係止孔に係止ピンを着脱可能としてその係止ピンの着脱によって上記リングが接続部材から着脱可能となるようにし、上記係止ピンにクレーン等のフックを係止する吊下孔を設けたことを特徴とする流下物捕捉工の連結構造。
【請求項２】
請求項１において、所定の間隔をあけて断面形状コ字形に形成した接続部材の支持部のそれぞれに係止孔を設けて互いに対向させて連通させたことを特徴とする流下物捕捉工の連結構造。
【請求項３】
網状の流下物捕捉構造を構成する張力材の端部を渓谷や渓床に固定支持した支持アンカーに連結する流下物捕捉工の連結構造であって、
弾性体中にその弾性体の全長より長い応力材を弛ませた状態で埋設させて一体にした弾性材を介して張力材を支持アンカーに連結し、
弾性材もしくは支持アンカーの一方の端部にリングを設け、そのリングを嵌める支持アンカーもしくは弾性材の一方の端部に取り付ける接続部材を、環状形を形成するように曲折した二つの支持部をヒンジで回動可能となるように連結し、その両支持部の解放端を互いに重なるように形成し、その重なる箇所にそれぞれ係止孔を設けて両支持部の先部が当接して重なったときにその両係止孔が連通するようにしたことを特徴とする流下物捕捉工の連結構造。
【発明の詳細な説明】
【０００１】
【発明の属する技術分野】
本発明は、河川の上流において発生する土石流や流木等の捕捉工、火砕流や雪崩の防止工等の各種安全管理対策工等に利用することができる流下物捕捉工の端部および中間部の連結構造に関する。
【０００２】
【従来の技術】
従来の流下物捕捉構造は、主としてコンクリートや鋼鉄によってダム状の種々の形態の重力式土砂捕捉工を構築することが行われている。
このような重力式土砂捕捉工は、外力に対して剛構造として構成されているために、コンクリートや鋼鉄の使用量が大量であり、しかもそれらを運搬するための道路の建設費や運搬費は膨大な費用となってしまい、また。捕捉した流下物が撤去できないという問題がある。
【０００３】
そこで、近時、図４に示すような流下物捕捉工全体を網状に張った張力材１で構成し、その張力材１の端部を、渓谷や渓床に固定支持した支持アンカー２に連結して柔構造とする流下物捕捉構造が開発されている。
【０００４】
【発明が解決しようとする課題】
このような柔構造の流下物捕捉工は、上記の剛構造の問題点を解決するものとして多くの特長を有するもので、流下物の衝突エネルギーを吸収する工法であり、流下物を網状の流下物捕捉構造によって捕捉することができるが、捕捉した後、これら流下物を除去しようとする場合、その網状体そのものが邪魔になって除去作業がしにくいという問題がある。これはこの網状体を構成する張力材は非常に頑丈で重いために端部の係止構造は重量構造となると共に係止状態が強固であるということが除去作業を困難にしている原因となっている。
【０００５】
また、捕捉される流下物は、重量の大きい流木や岩石が多いために除去作業には危険が伴い、より安全性の高い除去作業が求められている。
【０００６】
【課題を解決するための手段】
そこで本発明は、網状の流下物捕捉構造を構成する張力材の端部を渓谷や渓床に固定支持した支持アンカーに連結する流下物捕捉工の連結構造であって、弾性体中にその弾性体の全長より長い応力材を弛ませた状態で埋設させて一体にした弾性材を介して張力材を支持アンカーに連結し、弾性材もしくは支持アンカーの一方の端部にリングを設け、そのリングを嵌める支持アンカーもしくは弾性材の一方の端部に取り付ける接続部材の支持部に係止孔を設け、この係止孔に係止ピンを着脱可能としてその係止ピンの着脱によって上記リングが接続部材から着脱可能となるようにし、上記係止ピンにクレーン等のフックを係止する吊下孔を設けたことを特徴とする。
【０００７】
【発明の実施の形態】
以下に本発明の実施の形態例を図面を用いて説明する。
第１実施の形態例
図１は接続部材の説明図、図２は連結状態を示す説明図、図３は連結状態を示す説明図、図４は流下物捕捉工の説明図である。
【０００８】
流下物捕捉工は、図５に示す如く、流下物捕捉工を構成する張力材１には水平張力材３と垂直張力材４があり、それら端部に弾性材５を連結し、その弾性材５の端部を渓谷や渓床に固定支持した支持アンカー２に連結してある。なお、上記構造において、弾性材５は必ずしも設けなくてもよく、その場合は張力材１の端部が直接接続部材を介して支持アンカー２に連結されることになる。
【０００９】
このように流下物捕捉工は、渓岸や渓床に固定された支持アンカー２に連結される水平張力材３と、それら上下の水平張力材３の連結を行うと共に水平張力材３に荷重を伝達する垂直張力材４とより成り立つが、それらそれぞれの張力材１の端部は直接もしくは端部に連結した弾性材５と連結する支持アンカー２との連結構造を以下に説明する。
【００１０】
図において、６は弾性材５もしくは張力材１の接続端部であり、係止用のリング（フックも含む概念である。）７が連結されている。
８は支持アンカー２（張力材でも可。）に取り付ける接続部材であり、所定の間隔をあけて支持部９が一体に形成されており、この両支持部９にはそれぞれ係止孔１０が設けてある。必要に応じて支持部９の反対側に支持アンカー２に連結する連結部１１が設けてある。接続部材８は固定した支持アンカー２に連結する場合もあり、その場合には図３に示す如く固定構造となる。
【００１１】
１２は係止ピンであり、図４に示す如く一端にクレーン等のフックを係止する吊下孔１３を有し、他端にねじ１４が刻設してある。この係止ピン１２は図２に示す如く支持部９の係止孔１０を通し、突出したねじ１４にナット１５をしめて止めることができる長さとなっている。
なお、上記接続部材８は図６に示す如く、棒状材で曲折形成しても全く同様である。
【００１２】
また、係止ピン１２は必ずしもねじ１４にナット１５で留める必要はなく、例えば係止孔とピンによる係止でもよく、係止ピン１２が係止孔から外れない構造であればよい。
このような接続部材８によると、支持アンカー２の端部に連結部１１によって連結して取り付け、図２に示す如く、張力材１もしくは張力材１に接続した弾性材５（支持アンカー）の端部に設けたリング７を両支持部９間に位置させ、両支持部９の係止孔１０およびリング７に係止ピン１２を貫通させてナット１５で留めて連結する。これによって、張力材１は支持アンカー２に連結する。このように連結することにより水平張力材３と垂直張力材４よりなる流下物捕捉工が張設される。
【００１３】
垂直張力材４の上端は一番上の水平張力材３、もしくは図示しないが水平張力材の上方に設けた水平張力材と同様の配置してある高張力の水平材に支持固定される。
この水平張力材３と垂直張力材４との交差部は係止具によって係止して全体として網状体が構成される。
【００１４】
上記した弾性材５は、例えば図７の断面説明図に示す如く、天然ゴム、合成ゴム、合成樹脂等の弾性体からなる弾性体１６中に応力材としてのチェーン１７を埋設したもので、このチェーン１７を構成する各リング１８を互いに接触させるとなく隙間をあけた状態で配列し、その隙間にも弾性体を介在させて全一体にして構成してある。
【００１５】
以上の如く構成することにより流下物捕捉工は、流下物を網状の流下物捕捉構造によって捕捉することができるが、捕捉された流下物は適当なときに除去する必要がある。その場合、図４に示す如く、クレーン等のフック１９を係止ピン１２の吊下孔１３に係止してナット１５を外して係止ピン１２を係止孔１０から引き抜くことにより張力材１の係止が外れて流下物捕捉工を開放することができる。なお、この解放は流下物捕捉工の全てにおいてでもよくまた部分的であってもよい。
【００１６】
このように重量があって大型の係止ピンをクレーン等で着脱させることができることにより、容易に流下物捕捉工を渓谷や河川に張設したりそれを開放したりすることができる。
第２実施の形態
接続部材８は、上記の構成に限るものではなく、例えば図８に示すような構造でもよい。
【００１７】
これは、円形や角形等の環状形を形成するように曲折した二つの支持部２０、２１をヒンジ２２で回動可能となるように連結して一体とし、その両支持部２０、２１の開放端を互いに重なるように形成し、その重なる箇所にそれぞれ係止孔２３、２４を設けて開放端が当接して重なったときにその係止孔２３、２４が連通するようにしておく。２５は必要に応じて設けた支持アンカー２との連結部であり、上記実施の形態例と同様に固定した支持アンカーと接続する場合には固定構造となる。
【００１８】
このように支持部２０、２１の連通した係止孔２３、２４に図９に示す如く上記第１実施の形態例に示したクレーン等のフックを係止する吊下孔１３およびねじ１４を有する係止ピン１２を挿入してねじ１４をナット１５で留めることにより閉止状態の環状形を形成することができる。
なお、閉止状態の環状形において、支持部２０、２１の互いの開放端の当接箇所が中央にならないようにずれた位置で当接して係止ピン１２で留めることができるようにしておくと、後述するリング７を支持部２０、２１に嵌めたときにリング７が係止ピン１２に邪魔されることがない。
【００１９】
そこで、上記第１実施の形態例と同様に、支持アンカー２の端部に連結部２５によって連結して取り付け、図９、図１０に示す如く、弾性材５もしくは張力材１の端部に設けたリング７を開放している支持部２０、２１内に位置させ、上記の如く、両支持部２０、２１の先部を当接させて重なった係止孔２３、２４に係止ピン１２を挿入してねじ１４にナット１５を留めることによって閉止状態の環状形を形成することができる。これによって、張力材１は支持アンカー２にしれじれ連結する。
【００２０】
このように連結することにより水平張力材３と垂直張力材４よりなる流下物捕捉工が張設される。
この実施の形態例においても、上記の実施の形態例同様に重量があって大型の係止ピンをクレーン等で着脱させることができることにより、容易に流下物捕捉工を渓谷や河川に張設したりそれを開放したりすることができる。
【００２１】
【発明の効果】
以上詳細に説明した本発明によると、網状の流下物捕捉構造を構成する張力材の端部を渓谷や渓床に固定支持した支持アンカーに連結する流下物捕捉工の連結構造において、張力材もしくは支持アンカーの一方の端部にリングを設け、そのリングを嵌める支持アンカーもしくは張力材の一方の端部に設けた支持部に係止孔を設け、この係止孔に係止ピンを着脱可能としてその係止ピンの着脱によって上記リングが支持部から着脱可能となるようにし、上記係止ピンに吊下孔を設けたことにより、重量があって大型の係止ピンをクレーン等で着脱させることができることになり、作業性が向上して容易かつ安全に流下物捕捉工を渓谷や河川に張設したりそれを開放したりすることができる効果を有する。ひいては、流下物捕捉工に捕捉されてたまった流下物の撤去作業が容易に行えることになる。
【図面の簡単な説明】
【図１】第１実施の形態例を示す接続部材の説明図
【図２】連結状態を示す説明図
【図３】連結状態を示す説明図
【図４】連結状態を示す説明図
【図５】流下物捕捉工の説明図
【図６】実施の形態例を示す接続部材の説明図
【図７】弾性材を示す断面説明図
【図８】第２実施の形態例を示す接続部材の説明図
【図９】連結状態を示す説明図
【図１０】連結状態を示す説明図
【符号の説明】
１  張力材
２  支持アンカー
３  水平張力材
４  垂直張力材
５  弾性材
６  接続端部
７  リング（フックも含む概念である。）７が連結されている。
８  接続部材
９  支持部
１０  係止孔
１１  連結部
１２  係止ピン
１３  吊下孔
１４  ねじ
１５  ナット
１６  弾性体
１７  チェーン
１８  リング
２０、２１  支持部
２２  ヒンジ
２３、２４  係止孔
【図１】
0004353387.tif 000002
【図２】
0004353387.tif 000003
【図３】
0004353387.tif 000004
【図４】
0004353387.tif 000005
【図５】
0004353387.tif 000006
【図６】
0004353387.tif 000007
【図７】
0004353387.tif 000008
【図８】
0004353387.tif 000009
【図９】
0004353387.tif 000010
【図１０】
0004353387.tif 000011